(57)【要約】【課題】電子書籍で柔軟なスクロール表示ができる記録媒体および表示装置を提供する。【解決手段】記録媒体には、ページごとに表示用の書籍データを記録するとともに、ページごとのページデータ領域と共に、表示画面におけるスクロール表示のためのスクロール経路情報領域をページ単位ごとに設けて記録する。また、表示装置は、前記記録媒体に記録されたスクロール情報を読み込んで、表示画面のスクロールを行うものである。【選択図】図１
2006286012.tif 000002
【特許請求の範囲】
【請求項１】
所定単位ごとの表示用データを記録した記録媒体であって、表示画面におけるスクロール表示のための情報を上記所定単位ごとに有することを特徴とする表示用データを記録した記録媒体。
【請求項２】
上記所定単位は、ページ単位であることを特徴とする請求項１記載の表示用データを記録した記録媒体。
【請求項３】
上記スクロール表示のための情報は、表示画面における異なる方向のスクロール表示のための情報が含まれることを特徴とする請求項１記載の表示用データを記録した記録媒体。
【請求項４】
上記スクロール表示のための情報は、他のスクロール表示のための情報とのリンクに関する情報が含まれることを特徴とする請求項１記載の表示用データを記録した記録媒体。
【請求項５】
上記スクロール表示のための情報は、スクロール表示の速度に関する情報が含まれることを特徴とする請求項１記載の表示用データを記録した記録媒体。
【請求項６】
上記スクロール表示のための情報は、スクロール表示の表示領域を指定する情報が含まれることを特徴とする請求項１記載の表示用データを記録した記録媒体。
【請求項７】
上記スクロール表示のための情報は、スクロール表示する際の表示領域の拡大率または縮小率を指定する情報が含まれることを特徴とする請求項１記載の表示用データを記録した記録媒体。
【請求項８】
上記スクロール表示のための情報は、スクロール表示に同期して再生する内容を指示する同期再生情報が含まれることを特徴とする請求項１記載の表示用データを記録した記録媒体。
【請求項９】
請求項１乃至請求項８記載の表示用データを記録した記録媒体を再生して表示する表示装置であって、表示画面におけるスクロール表示のための情報に基づいてスクロール表示することを特徴とする表示装置。
【請求項１０】
スクロール表示のためのスクロール指示手段を備えることを特徴とする請求項９記載の表示装置。
【発明の詳細な説明】
【技術分野】
【０００１】
本発明は、スクロール経路情報を持つ表示用データを記録した記録媒体とその記録媒体の情報を表示する表示装置に関する。
【背景技術】
【０００２】
表示画面より大きい画像データを画面に表示する場合、あるいは画像データの一部分を拡大して表示する時に、画面に表示されていない他の領域に表示を切り替える場合等には、表示させたい領域の方向へ、ユーザが方向キーを押したり、マウスで指示するなどして、スクロール操作をするのが通常である。しかし、この操作は非常に面倒であり、特に新聞などのように複雑な段組を持つ表示データは、段の切り替わり時などには表示データの続きがどこにあるかわかりにくく、またスクロール量も大きくなるので、手動でスクロールしていくことは非常に面倒であった。
【０００３】
これに関して、特許文献１のように、表示画面に入りきらないような大きな画像データに対し、あらかじめ画像上での座標値列の形式で移動ルートを記憶しておき、その移動ルートに従って、表示画面を自動的にスクロールしていくことによって、スクロール指示の面倒を回避する表示装置が開示されている。特許文献１では、移動ルート上の点を移動方向に動かしながら、その点を中心とした固定サイズの矩形領域を画面に順次出力していくことによってスクロールを実現していた。
【特許文献１】特開平４−４３３８７号公報
【発明の開示】
【発明が解決しようとする課題】
【０００４】
しかしながら、表示データは、一般に表示するデータ内容やデータ内の文字サイズなどによって、表示すべき適切な範囲や解像度が変化するのに対し、特許文献１では、固定サイズの領域を等倍で画面に表示していたため、場合によっては必要な情報が画面に表示できなかったり、細かい文字や画像の細部などが見えにくいという問題があった。
【０００５】
また、小説やマンガ等をページ単位で画像データとして取り込んで表示装置に表示するような電子書籍の場合は、各ページの文章や画像が他のページあるいは同一ページと内容的につながっているため、順次スクロールするのが望ましいが、順次スクロールして、内容的な続きに自動的に表示が移るようになっていないという問題があった。
【課題を解決するための手段】
【０００６】
上記問題点を解決するため、本発明では次のような構成をとるようにした。
本発明の表示用データを記録した記録媒体は、所定単位ごとの表示用データを記録した記録媒体であって、表示画面におけるスクロール表示のための情報を上記所定単位ごとに有するものである。
【０００７】
これにより、表示内容に応じた適切なスクロール表示を設定することができ、スクロール表示のための情報の設定内容により、効果的な表示ができる。また、新聞の段組み等の複雑な構造の表示用データを形態端末の表示画面で見る時に、所定単位内でのスクロール表示が可能になるので、複雑なスクロール操作なしで順次表示することができる。
【０００８】
さらに、本発明の記録媒体において、上記所定単位をページ単位とする。
【０００９】
これにより、ページ単位で表示画面におけるスクロール表示のための情報を管理しているので、ページ内でのスクロール表示が可能になるので、複雑なスクロール操作なしで順次表示することができる。
【００１０】
さらに、本発明の記録媒体において、上記スクロール表示のための情報を、表示画面における異なる方向のスクロール表示のための情報が含まれるようにした。
【００１１】
これにより、方向の変わるスクロール表示であっても、複雑なスクロール操作なしで順次表示することができる。
【００１２】
さらに、本発明の記録媒体において、上記スクロール表示のための情報は、他のスクロール表示のための情報とのリンクに関する情報が含まれるようにした。
【００１３】
これにより、同一表示用データ内でのスクロール表示のみならず、異なる表示用データ間にまたがるようなスクロール移動も可能となるので、スクロール表示をユーザが特に指示する必要がなくなり、スクロール指示の面倒さを減らすことができる。
【００１４】
さらに、本発明の記録媒体において、スクロール表示の速度に関する情報が含まれるようにした。
【００１５】
これにより、文字数に応じてスクロール速度を変えたり、データとして重要な個所のスクロール速度を落として見落とさないようにしたり、スクロール速度の変化による表示効果を発生させることができる。
【００１６】
さらに、本発明の記録媒体において、上記スクロール表示のための情報は、スクロール表示の表示領域を指定する情報が含まれるようにした。
【００１７】
これにより、スクロール経路近辺の表示すべき領域を指定できるようにしたので、表示しなくてはいけない情報が、スクロール経路から離れていて表示できないといった問題を回避できる。
【００１８】
さらに、本発明の記録媒体において、上記スクロール表示のための情報は、スクロール表示する際の表示領域の拡大率または縮小率を指定する情報が含まれるようにした。
【００１９】
これにより、スクロール経路付近のデータの大きさを変化させるようにしたので、例えば、細かい文字領域は拡大して表示するなどして見やすくしたり、または徐々に拡大しながらスクロール表示するなどの効果的な表示ができる。
【００２０】
さらに、本発明の記録媒体において、上記スクロール表示のための情報は、スクロール表示に同期して再生する内容を指示する同期再生情報が含まれるようにした。
【００２１】
これにより、スクロール表示に同期させて、効果音を鳴らしたり等の効果的な表示ができる。
【００２２】
また、本発明の表示装置は、上述した表示用データを記録した記録媒体を再生して表示する表示装置であって、表示画面におけるスクロール表示のための情報に基づいてスクロール表示するものである。
【００２３】
これにより、スクロール表示のための情報に従ってスクロールする際に、スクロール経路に添付されたパラメータ情報に従って柔軟なスクロール処理ができ、効果的な表示ができる。
【００２４】
さらに本発明の表示装置において、スクロール表示のためのスクロール指示手段を備えるものである。
【００２５】
これにより、常に、スクロール表示のための情報を再生して表示するようにすれば、スクロール指示手段により一旦指示すれば、自動的にスクロールが行われるので、ユーザはスクロール指示をする必要がなく、スクロール指示の煩わしさを回避できる。
一方、スクロール指示手段により指示している間（例えばボタンを押している間）のみスクロール表示のための情報を再生して表示するようにすれば、ユーザのペースでスクロールができるので、スクロール速度が速すぎて表示されたデータを見落としてしまうことを回避できる。
【発明の効果】
【００２６】
本発明によれば、スクロール表示のための情報を所定単位ごとに付加し、スクロール経路の部分区間毎に表示領域の枠サイズ、拡大率、スクロール速度を設定できるようにしたので、スクロール表示する際に必要な情報が経路から離れていて表示されなかったり、細かい文字が見えにくいといった問題を解決できる。
【００２７】
また枠サイズ、拡大率、スクロール速度に変化を付けることによって変化に富んだスクロールができ、またスクロールに同期して音声データや動画データ等の再生を開始できるようにしたので、スクロール表示での表示効果的な演出も可能となる。
【発明を実施するための最良の形態】
【００２８】
以下、発明の実施の形態について図面を用いて詳細に説明する。
まず、表示用データを記録する記録媒体について説明する。なお、以下の説明では表示用データとして電子書籍データ（以下、「書籍データ」という）を例にあげて説明するが、特に電子書籍のページデータに限定するものではなく、画像ファイリング装置に格納された画像データや、文書作成装置で作成した文書データなど、一般に表示装置に表示可能なデータに対して適用することができる。
【００２９】
図１に、本発明に係る表示用データとして書籍データが記録された記録媒体の全体構成を示す。図１に示すように、書籍データは、書籍タイトル名、著者名などの書誌情報、及び総ページ数などのページ情報などを格納する管理情報領域と、書籍の本文である各ページのデータを格納するページデータ領域と、スクロール表示のための情報とその付加情報を格納するスクロール経路情報領域とからなり、ファイルとして記録媒体に格納されている。図１において、ページデータ領域がページ毎に分割されて格納されると共に、スクロール経路情報領域もページ毎に分割されて格納されている。図１の他の実施の形態として、図２のようにページデータ領域とスクロール経路情報領域をそれぞれ一つにまとめて格納してもよいが、この場合も、各ページのデータをスクロール表示するための情報をページ毎に管理できるようにしておけばよい。
【００３０】
図３に、書籍データの中の管理情報領域の構成例を示す。管理情報領域は、管理情報領域であることを示す管理情報領域識別子と、この領域のデータサイズと、書籍タイトル名、著者名などを格納する書誌情報領域と、総ページ数などを格納するページ情報領域などからなる。なお、図３における右の数字は格納する際のバイト数を示している。
【００３１】
図４に、各ページのページデータ領域の構成例を示す。ページデータ領域は、ページデータ領域であることを示すページデータ領域識別子と、この領域のデータサイズと、ページデータを構成する文字データ、画像データ、音声データ、動画データなどのデータ要素（以下オブジェクトと表記する）毎に記述されたオブジェクトデータ領域とそのオブジェクト数と、最後にそのページにスクロール経路情報が付与されているかどうかを示す情報とからなる。図１４に示すように、各ページにはページの左上の頂点を原点とした座標系が仮想的に設けられており、このページ紙面上に各オブジェクトが配置されることによって各ページが構成される。音声データなどの表示できないデータは、ページ全体、もしくは内容的に関連する領域に仮想的に配置される。
【００３２】
オブジェクトデータ領域の構造は、データの種類によって異なるが、基本的にはデータ種別識別子、データサイズ、オブジェクトデータの形式で記述されている。例えば画像データの場合、図５に示されるように、画像データであることを示すデータ種別識別子、データサイズ、画像のｘ，ｙ方向の大きさ、表示画面上での始点座標、圧縮方式が記され、圧縮方式の項で指定された圧縮方法によって画像データが格納されている。
【００３３】
次に、図１のスクロール経路情報領域について図６〜図８を用いて説明する。図６に、あるページにおけるページデータに設定されたスクロール経路情報を模式的に示す。書籍データによっては、図６のように複数の内容が段組みされ複雑に入り組んで書かれていることがあり、あるページにおける書籍データが表示画面より大きい場合、もしくは書籍データが拡大されて表示されている場合には、各段の切り替わり時に文書等の続きがどこにあるかわからなくなることがある。
【００３４】
そこで、ページデータ領域内のオジェクトデータの内容（図６において模式的に示した内容１、２）毎に、スクロール経路を設定する。各スクロール経路は、いくつかの部分区間（図６中の矢印に相当）から構成される。例えば、同一ページにいくつかの記事が書かれているような新聞記事の場合、記事毎にスクロール経路が設定され、各記事のスクロール経路は、段が切り替わる所や、文章の進んで行く方向が変わる所などで複数の経路に分割される。この分割された経路が部分区間に相当する。
【００３５】
図７に、スクロール経路情報領域におけるスクロール経路の格納方式を示す。図７の左側に示すように、スクロール経路情報は、スクロール経路情報領域であることを示すスクロール経路情報識別子と、この領域のデータサイズと、スクロール経路数と、各経路毎のベクトル列によって表現される経路データとからなる。
【００３６】
各経路データには、図７の右側に示すように、経路データであることを示す経路データ識別子と、そのデータサイズと、経路名を識別するための経路名文字列と、スクロールするスクロール部分区間数と、各部分区間（１〜ｎ）ごとの部分区間情報と、他経路とのリンク情報とからなる。
【００３７】
他経路とのリンク情報は、現在のページ内の他経路や他ページに付与された経路との接続を指定するものであり、他の経路につながっているかどうかを示すリンク有無情報と、もしリンクする経路があればその経路の付与されたページを示すリンク経路ページ番号と、そのページの何番目の経路につながっているかを示すリンク経路番号とからなる。
【００３８】
また、ここで、経路名文字列には、このスクロール経路の付与された領域の文章の内容を示すタイトルなどが記録される。例えば、ページデータの内容が新聞記事で、記事毎にスクロール経路が設けられている場合、記事のタイトルがこの領域に記録される。
【００３９】
部分区間情報は、スクロールさせるべき順番に格納され、図８に示す記録形式で、部分区間毎に記録されている。部分区間情報は、部分区間であることを示す識別子と、データサイズと、その部分区間のデータをベクトルで記述するための始点座標及び終点座標と、始点及び終点でのスクロール速度と、始点及び終点での拡大率（縮小する場合も含む）と、始点及び終点での、表示装置に表示する領域の枠サイズと、その部分区間のスクロール開始と同期して再生する情報を格納する同期再生情報領域とからなる。スクロール速度には、スクロール一回あたりに移動する、ページに設けられた座標系での距離を記録する。
【００４０】
また、始点および終点での表示枠サイズもページに設けられた座標上での大きさを指定する。この枠サイズのパラメータは、次の理由で設けられている。ページに設定されたスクロール経路に従ってスクロールする場合、経路の近辺の領域をページデータから読み出し、指定された拡大率で拡大して表示装置に表示する。
【００４１】
このとき、経路からどこまでの範囲を近辺とするかによって、表示しなくてはいけない内容が表示できない場合がある。例えば、図１５に示すように、枠（ａ）の大きさの領域を近辺とすると、上下の文字が表示画面に表示されず、文章が読めない。従って、枠（ｂ）のように表示されるべき内容が必ず表示されるように、適切に大きさを設定することが必要である。
【００４２】
同期再生情報領域には、同期再生情報数と、その同期再生情報数分だけの同期再生情報とが格納されている。この同期再生情報は、図８に示すように、同期再生情報であることを示す同期再生情報識別子と、そのデータサイズと、オブジェクト番号とからなる。ここでオブジェクト番号として、図４に示す形式で格納されたオブジェクトデータの格納されている番号が選択されて記録されている。例えば、その部分区間の表示内容に応じて効果音を流す場合には、この効果音のデータをページデータ内に登録しておき、同期再生情報領域にそのオブジェクト番号を記録しておけばよい。
【００４３】
図９に示すように、この部分区間情報を使って画面を表示する場合には、まず、ページデータ上での始点座標（ｓｘ，ｓｙ）を中心とする指定された始点枠サイズ（ｗｓｘ，ｗｓｙ）の矩形領域を始点での拡大率ｓｍａｇ倍に拡大して表示手段に表示し、指定されたスクロール速度ｓｖで表示画面をスクロールする。このとき、同期再生情報が記録されていれば、ここで指定されているオブジェクトの再生をスクロール開始に同期させて開始する。そして、終点でのスクロール速度、拡大率、枠サイズが指定された値になるように、滑らかにこれら３つの値を変化させながら、表示する矩形の中心を始点から終点に移動していくことによってスクロール表示をする。
【００４４】
従って、単にスクロール経路だけでなく、スクロール速度、枠サイズ、拡大率をあらかじめ指定できるので、画面の内容に従って順次スクロールできるだけでなく、徐々に拡大しながら表示するなど変化に富んだスクロールができるため、表示に効果的なデータをあらかじめ書籍データに埋め込んで置くことができる。
【００４５】
また、スクロール処理中の表示画面にふさわしい音声データを流したり、動画データをスクロールに合わせて再生開始できるように設定しておくことができる。なお、図２の形式でスクロール経路情報が格納される場合には、各経路の部分区間情報がどのページのものかわからなくなるので、図８の部分区間情報内にその部分区間が存在するページ番号を格納するページ番号領域を設けて格納すればよい。
【００４６】
次に、表示装置の実施の形態について説明する。以下の説明では、先に述べた記録媒体に格納された電子書籍の表示用データを読み込んで表示する表示装置の場合について説明するが、特に電子書籍の表示装置に限定するものではなく、先に述べたようなスクロール経路情報が添付された表示用データを表示する表示装置に対して適用可能である。
【００４７】
図１０に、本発明に係る表示装置のブロック図の一例を示す。同図において、１は制御手段であるＣＰＵ、２は装置の制御プログラムを格納するＲＯＭ、３はプログラムやプログラムの作業領域、及びページデータや書誌情報などの書籍データなどを格納するために用いられるＲＡＭ、４は記録媒体に記録された書籍データを読み込むディスクドライブあるいは通信回線等の入力手段、５は書籍データを表示するための表示手段、６は記録媒体に記録された書籍データのうち音声データを出力する音声出力手段、７は表示しているページをユーザがページめくりを指示可能にするボタンなどで構成されたページめくり指示手段、８は通常の表示モードとスクロール表示モードを切り替えるようにユーザが指示可能なボタンなどで構成された表示モード切替指示手段、９はボタンなどで構成された表示画面のスクロールをユーザが指示可能なスクロール指示手段、１０は装置構成要素を接続するＣＰＵバスである。ＣＰＵ１は、ＲＯＭ２内に格納された制御プログラムに従い、ページめくり指示手段７、表示モード切替指示手段８、スクロール指示手段９からのユーザの指示に応じ、各種処理を行う。表示手段５は、表示画面に表示する内容を制御する表示制御手段５１とディスプレイなどで構成される表示画面５２とからなる。
【００４８】
図１１に、本発明に係る電子書籍の表示装置の概観例を示す。図１１において、表示画面５２の表面に透明な抵抗膜感圧式のタブレットが貼られ、このタブレットを表示モード切替指示手段８とし、書籍データ内の音声データを出力するスピーカを音声出力手段６とし、表示装置本体に設けれたボタンをユーザがページをめくるように表示装置に指示するために設けられたページめくり指示手段７及びスクロール指示手段９として用いる。このボタンの押す方向に応じてページめくり方向あるいはスクロール方向が決まる。なお、１２は書籍データの記録された記録媒体を差し込む記録媒体挿入口、１３は前記タブレット１１を通じて、表示モードの切り替えや、各種の入力を行うためのペンである。
【００４９】
次に、上記表示装置における書籍データを表示処理方法について説明する。この表示装置では、ページデータの再生方法として、ページめくり指示手段７を通じてページめくりが指示される度に表示するページを順次更新していく通常の表示モードと、書籍データに付加されたスクロール経路情報に基づいて、自動的にもしくはユーザの指示に従って、ページデータの一部を必要に応じて拡大率を変化させながら画面をスクロールしていくスクロール表示モードの２つのモードがある。本体の電源を投入すると、再生モードは通常の表示モードに設定され、他のモードへの切り替えは、ページデータ表示中に表示モード切替指示手段８をユーザが指示することによって移行する。以下、これらのモードについて説明する。
【００５０】
まず、通常の表示モードについて図１２のフローチャートを用いて説明する。
まず、表示するページを所定のページに設定する（ステップＳ１００）。電源が投入された場合は、先頭ページもしくは前回の読書時に開いていたページに、スクロール表示モードから移行してきた場合は現在表示しているページに設定する。
そして、設定されたページのページデータを読込み、そのページ内の全てのオブジェクトを出力する（ステップＳ１０１）。
【００５１】
表示中のページを構成する全てのオブジェクトの出力が終わると、ステップＳ１０２で、ページめくり指示手段７を通じてページめくりが指示されていないかどうかを調べ、ページめくりが指示されていれば、ステップＳ１０３で表示するページ番号を変更し、ステップＳ１０１に移ってそのページの再生処理を行う。
【００５２】
もしページめくりが指示されていないならば、表示モード切替手段８を通じて表示モードを切り替えるようにユーザが要求していないか調べ、表示モードの切替が要求されている場合には、スクロール表示モードへ移行する。
もし表示モードの切替が要求されていないならば、ページデータの表示処理を終了するようにユーザから要求されていないかどうか調べる（ステップＳ１０５）。もしページデータの表示処理を終了するように要求されていれば、表示処理を終了する。
【００５３】
一方、ページデータの表示処理を終了するように要求されていない場合には、ステップＳ１０２に戻り、以降ステップＳ１０２〜ステップＳ１０５のいずれかに関する要求がユーザよりなされるまで、この処理が繰り返される。
【００５４】
次に、スクロール表示モードについて図１３のフローチャートを用いて説明する。
他のモードからスクロール表示モードに移ると、まずステップＳ２００で現在表示中のページに付与されているスクロール経路情報を読み込み、そのページに含まれている図７に示した経路名文字列を表示画面に一覧表示するなどして、ユーザにこのページに付与された経路を呈示し、スクロール経路を選択してもらう（ステップＳ２０１）。
【００５５】
また、このとき、自動的にスクロールさせる自動スクロールモードか、スクロール指示手段９によって指示したときのみスクロールさせる半自動スクロールモードかをユーザに選択させる。
自動スクロールモードは、スクロール指示手段９により一旦指示すれば、スクロール経路情報を順次読み込み、自動的にスクロール表示が行われ、半自動スクロールモードは、スクロール指示手段９により指示している間（例えばボタンを押している間）のみスクロール表示が行われるものである。
【００５６】
選択されたスクロール経路は、先に述べたように複数の部分区間情報から構成されているため、部分区間毎に後述するステップＳ２０３からステップＳ２１０までの処理を順次行い、部分区間毎の処理を全て行うとステップＳ２０２からステップＳ２１１の処理に移る。
【００５７】
ステップＳ２１１で、他経路とのリンクが設定されていない場合には、通常の表示モードに移行し、一方で他経路へのリンクが設定されている場合には、ステップＳ２１２においてリンクされている経路のページ番号を調べ、もし現在表示しているページとは異なるページであるならば、そのページデータを読込んだ後（ステップＳ２１３）、ステップＳ２０２に移ってリンクされているスクロール経路情報に従ってスクロール表示を開始する。
【００５８】
各部分区間毎の処理（ステップＳ２０３〜Ｓ２１０）では、図９に示すように部分区間情報内の始点座標から終点座標に向かう線分上にサンプル点を設けて、サンプル点を動かしながら、画面上に表示する矩形領域を計算してスクロール表示処理を行っていく。
【００５９】
まず、ステップＳ２０３において、部分区間に同期再生情報が添付されている場合、ここに記録されたオブジェクトの再生処理をする。この例では、ステップＳ２０３において再生処理がすんだ後、ステップＳ２０４以降の処理に移るようにするが、音声データや映像データなど再生が一瞬で終わらないようなデータの再生処理の場合には、ステップＳ２０５からステップＳ２１０のループ処理の間に少しずつ処理を区切って実行するか、ステップＳ２０５からステップＳ２１０の処理と並列して処理するようにしてもよい。
【００６０】
次に、サンプル点の座標（ｘ，ｙ）を部分区間の始点（ｓｘ，ｓｙ）に設定した後（ステップＳ２０４）、ステップＳ２０５において、サンプル点が終点（ｅｙ，ｅｙ）に達したかどうか判定され、サンプル点が終点に達した場合にはステップＳ２０２へ戻り、次の部分区間の処理に移る。
【００６１】
一方、サンプル点が終点に達していない場合には、ステップＳ２０６に移り、表示画面に表示する矩形領域と拡大率を計算し、表示画面に表示する画像を作成する。このときの矩形領域のサイズ、拡大率は次のようにして求められる。現在のサンプル点〜始点間の距離と現在のサンプル点〜終点間の距離との比がｓ：（１−ｓ）（ただし、０≦ｓ≦１）とすると、画面に表示する矩形領域のサイズ（ｗｘ，ｗｙ）、拡大率ｍａｇは、
【００６２】
【数１】
2006286012.tif 000003
【００６３】
によって求める。ここで、ｗｓｘ、ｗｓｙは始点での矩形領域サイズ、ｗｅｘ、ｗｅｙは終点での矩形領域サイズ、ｓｍａｇ、ｅｍａｇはそれぞれ始点、終点での拡大率である。そして、現在のサンプル点を中心としてｗｘ、ｗｙの大きさの矩形領域（ｘ−ｗｘ／２，ｙ−ｗｙ／２）−（ｘ＋ｗｘ／２，ｙ＋ｗｙ／２）をページデータから画像データとして取り出し、拡大率ｍａｇによって拡大する。このとき、拡大後の画像が表示画面の画素サイズを超えてしまう場合は、拡大率を下げて表示画面の画素サイズを超えないように調整する。このようにして生成された拡大画像を表示画面に表示する（ステップＳ２０７）。
【００６４】
そして、現在のモードが自動スクロールモードになっているかを調べ（ステップＳ２０８）、半自動スクロールモードの場合は、ステップＳ２０９でスクロール指示手段９を通じてスクロール指示がされるまで待機する。ここで、自動スクロールモードの場合、あるいはユーザがスクロール指示をした場合、サンプル点を移動させる（ステップＳ２１０）。移動量は次のようにして計算する。まずサンプル点でのスクロール速度ｖを、始点、終点でのスクロール速度ｓｖ、ｅｖから、ｖ＝（１−ｓ）×ｓｖ＋ｓ×ｅｖによって求め、
【００６５】
【数２】
2006286012.tif 000004
【００６６】
を移動量とする。そして、次のサンプル点を座標（ｘ＋Δｘ，ｙ＋Δｙ）とし、ステップＳ２０５に戻って、サンプル点が終点に達するまでステップＳ２０６からＳ２１０の処理を繰り返す。なお、半自動スクロールモードで後方へのスクロールも可能とする場合には、後方へのスクロールが指定された時に、ステップＳ２１０において（ｘ−Δｘ，ｙ−Δｙ）を次のサンプル点として計算し、スクロール処理すればよい。なお、スクロール経路情報が図２の形式で格納されている場合には、ステップＳ２００において、全スクロール経路情報を読み込んだ後、この中から現在表示しているページに付与された経路情報を取り出して、ステップＳ２０１においてユーザにスクロール表示する経路を選択してもらう。ステップＳ２０２以降の処理は、先に説明したものと同じなので説明を省略する。
【００６７】
以上のようにして、自動的にスクロールすることによって、段組が複雑になっているようなページでもスクロールを指示する手間が省けるとともに、スクロール速度や拡大率、表示範囲を変化させたり、スクロールに同期して音声や映像の再生を開始させたりすることによって効果的な表示も可能となる。
一方、ユーザがスクロール指示したときのみスクロールさせる場合には、ユーザの読書速度に応じたスクロールができ、しかもボタンなどで構成されたスクロール指示手段を押すだけでスクロールさせることができるので、スクロールさせる時の手間もそれほどかからない。
【図面の簡単な説明】
【００６８】
【図１】本発明の実施の形態に係る、表示用データとして書籍データが記録された記録媒体の全体構成を示す図である。
【図２】本発明の他の実施の形態に係る、表示用データとして書籍データが記録された記録媒体の全体構成を示す図である。
【図３】書籍データの管理情報領域の構成例を示す図である。
【図４】書籍データのページデータ領域の構成例を示す図である。
【図５】ページデータ領域に格納されるオブジェクトのうち画像データの例を示す図である。
【図６】ページデータに設定されるスクロール経路を模式的に説明する図である。
【図７】スクロール経路情報領域のデータ例を示す図である。
【図８】スクロール経路情報領域内に格納される部分区間情報を示す図である。
【図９】図８の部分区間情報に記録される各値の関係とスクロールの仕方を説明するための図である。
【図１０】本発明に係る表示装置の実施の形態を示すブロック図である。
【図１１】本発明に係る携帯型の表示装置の概観を示す図である。
【図１２】本発明に係る表示装置の通常の表示モードの処理手順を示すフローチャートである。
【図１３】本発明に係る表示装置のスクロール表示モードの処理手順を示すフローチャートである。
【図１４】複数のオブジェクトを配置することによって各ページが構成されていることを示す模式図である。
【図１５】部分区間情報に記録される表示枠を説明するための図である。
【符号の説明】
【００６９】
１…ＣＰＵ、２…ＲＯＭ、３…ＲＡＭ、４…入力手段、５…表示手段、６…音声出力手段、７…ページめくり指示手段、８…表示モード切替指示手段、９…スクロール指示手段、１０…ＣＰＵバス。
【図１】
2006286012.tif 000005
【図２】
2006286012.tif 000006
【図３】
2006286012.tif 000007
【図４】
2006286012.tif 000008
【図５】
2006286012.tif 000009
【図６】
2006286012.tif 000010
【図７】
2006286012.tif 000011
【図８】
2006286012.tif 000012
【図９】
2006286012.tif 000013
【図１０】
2006286012.tif 000014
【図１１】
2006286012.tif 000015
【図１２】
2006286012.tif 000016
【図１３】
2006286012.tif 000017
【図１４】
2006286012.tif 000018
【図１５】
2006286012.tif 000019
【手続補正書】
【提出日】平成18年6月19日(2006.6.19)
【手続補正１】
【補正対象書類名】特許請求の範囲
【補正対象項目名】全文
【補正方法】変更
【補正の内容】
【特許請求の範囲】
【請求項１】
所定単位ごとの表示用データとスクロール表示のための情報を含むデジタルデータを再生して表示する表示装置であって、前記スクロール表示のための情報は、スクロールする経路を記録した経路情報と、前記経路情報に沿ってスクロール表示する際のパラメータ情報から構成され、前記表示用データの表示する箇所を変更するユーザの指示を受け付ける表示位置切替手段と、前記表示用データを所定単位ごとに順次表示していく第１の表示モードと、前記スクロール表示のための情報に基づいて前記表示用データを順次表示していく第２の表示モードとを切り替える指示をユーザから受け付ける表示モード切替手段とを備え、前記表示モード切替手段で前記第１の表示モードの指示を受け付けると、前記表示位置切替手段からの指示に従って前記表示用データを表示し、前記表示モード切替手段で前記第２の表示モードの指示を受け付けると、前記経路情報と前記パラメータ情報に基づいて、前記表示用データをスクロール表示することを特徴とする表示装置。
【請求項２】
前記所定単位は、ページ単位であることを特徴とする請求項１記載の表示装置。
【請求項３】
前記スクロール表示のための情報は、ページ単位ごとに設定可能であることを特徴とする請求項２記載の表示装置。
【請求項４】
前記スクロール表示のための情報は、２つの前記経路情報をリンクする情報が設定可能であることを特徴とする請求項１記載の表示装置。
【請求項５】
前記スクロール表示のための情報は、スクロール表示に同期して再生する内容を指示する情報が設定可能であることを特徴とする請求項１記載の表示装置。
【請求項６】
前記経路情報は、前記所定単位上の複数の線分によって構成されており、それぞれの線分は、前記所定単位上の異なる方向を持つように設定可能であることを特徴とする請求項１記載の表示装置。
【請求項７】
ユーザがスクロールする方向を指示するスクロール指示手段をさらに備え、前記スクロール指示手段で指示されているときのみ、前記スクロール表示のための情報に従ってスクロールすることを特徴とする請求項１記載の表示装置。
【請求項８】
前記パラメータ情報は、スクロールする経路の部分ごとに可変に設定可能であることを特徴とする請求項１記載の表示装置。
【請求項９】
前記パラメータ情報は、スクロール表示の際の速度に関する情報が設定可能であることを特徴とする請求項１記載の表示装置。
【請求項１０】
前記パラメータ情報は、前記スクロール経路を中心とした表示範囲を指定する情報が設定可能であることを特徴とする請求項１記載の表示装置。
【請求項１１】
前記パラメータ情報は、スクロール表示する際の表示領域の拡大率または縮小率に関する情報が設定可能であることを特徴とする請求項１記載の表示装置。
【手続補正３】
【補正対象書類名】明細書
【補正対象項目名】０００１
【補正方法】変更
【補正の内容】
【０００１】
本発明は、スクロール経路情報を持つ表示用データを表示する表示装置に関する。
【手続補正４】
【補正対象書類名】明細書
【補正対象項目名】０００６
【補正方法】変更
【補正の内容】
【０００６】
上記問題点を解決するため、本発明では次のような構成をとるようにした。
本発明の表示装置は、所定単位ごとの表示用データとスクロール表示のための情報を含むデジタルデータを再生して表示する表示装置であって、前記スクロール表示のための情報は、スクロールする経路を記録した経路情報と、前記経路情報に沿ってスクロール表示する際のパラメータ情報から構成され、前記表示用データの表示する箇所を変更するユーザの指示を受け付ける表示位置切替手段と、前記表示用データを所定単位ごとに順次表示していく第１の表示モードと、前記スクロール表示のための情報に基づいて前記表示用データを順次表示していく第２の表示モードとを切り替える指示をユーザから受け付ける表示モード切替手段とを備え、前記表示モード切替手段で前記第１の表示モードの指示を受け付けると、前記表示位置切替手段からの指示に従って前記表示用データを表示し、前記表示モード切替手段で前記第２の表示モードの指示を受け付けると、前記経路情報と前記パラメータ情報に基づいて、前記表示用データをスクロール表示するものである。
【手続補正５】
【補正対象書類名】明細書
【補正対象項目名】０００７
【補正方法】変更
【補正の内容】
【０００７】
これにより、表示内容に応じた適切なスクロール表示を設定することができ、スクロール表示のための情報の設定内容により、効果的な表示ができる。また、新聞の段組み等の複雑な構造の表示用データを携帯端末の表示画面で見る時に、所定単位内でのスクロール表示が可能になるので、複雑なスクロール操作なしで順次表示することができる。
【手続補正６】
【補正対象書類名】明細書
【補正対象項目名】０００８
【補正方法】変更
【補正の内容】
【０００８】
さらに、本発明の表示装置の上記所定単位をページ単位とする。また、スクロール表示のための情報を、ページ単位ごとに設定可能であるようにした。
【手続補正７】
【補正対象書類名】明細書
【補正対象項目名】００１０
【補正方法】変更
【補正の内容】
【００１０】
さらに、本発明の表示装置において、前記経路情報は、前記所定単位上の複数の線分によって構成されており、それぞれの線分は、前記所定単位上の異なる方向を持つように指定可能であるようにした。
【手続補正８】
【補正対象書類名】明細書
【補正対象項目名】００１２
【補正方法】変更
【補正の内容】
【００１２】
さらに、本発明の表示装置において、上記スクロール表示のための情報は、２つの経路情報をリンクする情報が設定可能であるようにした。
【手続補正９】
【補正対象書類名】明細書
【補正対象項目名】００１４
【補正方法】変更
【補正の内容】
【００１４】
さらに、本発明の表示装置において、スクロール表示の際の速度に関する情報が設定可能であるようにした。
【手続補正１０】
【補正対象書類名】明細書
【補正対象項目名】００１６
【補正方法】変更
【補正の内容】
【００１６】
さらに、本発明の表示装置において、前記パラメータ情報は、スクロールする経路の部分ごとに可変に設定可能にしたり、また、前記スクロール経路を中心とした表示範囲を指定する情報が設定可能であるようにした。
【手続補正１１】
【補正対象書類名】明細書
【補正対象項目名】００１８
【補正方法】変更
【補正の内容】
【００１８】
さらに、本発明の表示装置において、上記パラメータ情報は、スクロール表示する際の表示領域の拡大率または縮小率に関する情報が設定可能であるようにした。
【手続補正１２】
【補正対象書類名】明細書
【補正対象項目名】００２０
【補正方法】変更
【補正の内容】
【００２０】
さらに、本発明の表示装置において、上記スクロール表示のための情報は、スクロール表示に同期して再生する内容を指示する情報が設定可能であるようにした。
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】変更
【補正の内容】
【００２４】
さらに本発明の表示装置において、ユーザがスクロールする方向を指示するためのスクロール指示手段を備え、前記スクロール指示手段で指示されているときのみ、前記スクロール表示のための情報に従ってスクロールするようにした。
【手続補正１６】
【補正対象書類名】図面
【補正対象項目名】図４
【補正方法】変更
【補正の内容】
【図４】
2006286012.tif 000020
【手続補正１７】
【補正対象書類名】図面
【補正対象項目名】図５
【補正方法】変更
【補正の内容】
【図５】
2006286012.tif 000021
【手続補正１８】
【補正対象書類名】図面
【補正対象項目名】図６
【補正方法】変更
【補正の内容】
【図６】
2006286012.tif 000022
【手続補正１９】
【補正対象書類名】図面
【補正対象項目名】図７
【補正方法】変更
【補正の内容】
【図７】
2006286012.tif 000023
【手続補正２０】
【補正対象書類名】図面
【補正対象項目名】図８
【補正方法】変更
【補正の内容】
【図８】
2006286012.tif 000024
【手続補正２１】
【補正対象書類名】図面
【補正対象項目名】図１２
【補正方法】変更
【補正の内容】
【図１２】
2006286012.tif 000025